(57)【要約】【課題】本発明は、宛先機器毎に縦横比の歪みの無い適切な解像度で画情報を送信することができるデータ通信装置を提供する。【解決手段】電子メール型通信制御部１３により画情報を送信する場合に、宛先機器指定手段１４によって指定された宛先機器の種類によって送信画像の解像度を変える解像度変換処理部７を設けた。また、電子メール型通信制御部１３により画情報を送信する場合に、複数の宛先機器の種類を指定し、この指定によって送信する原稿画像の解像度を変えて、複数の宛先機器の種類毎に該当する解像度の送信画像を送信する。【選択図】　　　図１
2004040609.tif 000002
【特許請求の範囲】
【請求項１】
原稿画像を読み取る読取手段と、前記読取手段で読み取った画像の解像度を縦横別々の比率で変換する解像度変換処理手段と、前記解像度変処理手段で変換した画情報を、コンピュータネットワーク網を介して電子メールにより送信するメール通信手段と、前記画情報を送信する宛先機器の種類を指定する宛先機器指定手段とを備えたデータ通信装置において、
前記解像度変換処理手段は、前記メール通信手段により画情報を送信する場合に、前記宛先機器指定手段によって指定された宛先機器の種類によって送信画像の解像度を変えることを特徴とするデータ通信装置。
【請求項２】
原稿画像を読み取る読取手段と、前記読取手段で読み取った画像の解像度を縦横別々の比率で変換する解像度変換処理手段と、前記解像度変処理手段で変換した画情報を、コンピュータネットワーク網を介して電子メールにより送信するメール通信手段と、前記画情報を送信する宛先機器の種類を指定する宛先機器指定手段とを備えたデータ通信装置において、
前記解像度変換処理手段は、前記メール通信手段により画情報を複数の宛先に送信する場合に、前記宛先機器指定手段によって指定された宛先機器の種類によって解像度を変えて送信画像を作成し、
前記メール通信手段は、宛先機器の種類毎に該当する解像度の送信画像を送信することを特徴とするデータ通信装置。
【請求項３】
前記宛先機器指定手段は、宛先機器が扱う解像度が、少なくともｄｐｍ系の機器かｄｐｉ系の機器であるか否かを指定し、
前記読取手段は、自己の解像度がｄｐｍ系かｄｐｉ系の何れか一方から構成される場合に、前記宛先機器指定手段によって読取手段の自己の解像度と異なる他方の解像度の宛先機器を指定したときに、前記解像度変換処理手段は、前記読取手段が読み取った解像度の画像に近い他方の解像度に変換することを特徴とする請求項１または２記載のデータ通信装置。
【発明の詳細な説明】
【０００１】
【発明の属する技術分野】
本発明は、データ通信装置に関し、詳しくは、画情報をコンピュータネットワークを介する電子メールタイプでファクシミリ通信端末などの宛先機器に送信することができるデータ通信装置に関する。
【０００２】
【従来の技術】
近年、ローカルエリアネットワークやインターネット等のコンピュータネットワークを介して、画情報を送信したり受信したりする通信機能を備えることが、コンピュータ機器に限らず、ファクシミリ装置などの他の通信機器でも実用化されてきている。
【０００３】
このコンピュータネットワークを介するファクシミリ通信方法としては、ＩＴＵ−Ｔ　Ｔ．３７で規定されたＳＴＯＲＥ　ＡＮＤ　ＦＯＲＷＡＲＤタイプ（電子メールタイプ）がある。この電子メールタイプは、画情報を電子メールの添付ファイルとして送信することにより、宛先機器で添付されている画情報の出力処理をするものであり、ファクシミリ通信機器を宛先にするだけでなく、コンピュータ機器等を宛先としても送信することができる。
【０００４】
この種のデータ通信装置としては、例えば、特開平１１−２２５２６３号公報に記載されたようなものがある。このデータ通信装置は、電子メールを用いて通信することができる相手装置の用紙サイズや解像度等の属性情報を予め記憶し、この記憶した相手と通信するときに、予め記憶した属性情報に基づいて、入力されたイメージデータを縮小処理や間引き処理等で変換し、変換したイメージデータを送信するようになっている。
【０００５】
この結果、宛先機器の解像度に応じて所望の解像度の画情報を送信することができ、高品質な画像処理を行うことができる。
【０００６】
ここで、相手先の通信機器において画情報を処理する解像度は個々に異なっており、例えば、ファクシミリ通信機器へ画情報を送信する場合には、受信側のファクシミリ通信機器における記録印刷能力などの制約も有ることから、次の解像度の画情報を送受信している。
【０００７】
８×３．８５ｄｐｍ、８×７．７ｄｐｍ（ｄｐｍ＝ｄｏｔ　ｐｅｒ　ｍｍ）
【０００８】
２００×１００ｄｐｉ、２００×２００ｄｐｉ（ｄｐｉ＝ｄｏｔ　ｐｅｒ　ｉｎｃｈ）
【０００９】
但し、ファクシミリ通信機器の場合には、８×３．８５ｄｐｍ、８×７．７ｄｐｍのｄｐｍ系が主流である。
【００１０】
一方、コンピュータ機器に送信する場合には、画情報の解像度は２００×１００ｄｐｉ、２００×２００ｄｐｉ、３００×３００ｄｐｉ、６００×００ｄｐｉ等のｄｐｉ系が主流である。
【００１１】
【発明が解決しようとする課題】
しかしながら、このような従来のデータ通信機器にあっては、画情報を電子メールタイプで送信する場合の画情報の解像度を、宛先機器に関係なく、ファクシミリ通信機器のｄｐｍ系の解像度で送信したり、またはｄｐｉ系の解像度で送信すると、宛先機器によっては縦横比が歪んでしまうという問題がある。
【００１２】
また、複数宛先に送信したい場合に異なる種類の宛先機器が含まれると、宛先機器によっては同一の解像度で送信すると縦横比が歪んでしまうという問題がある。
【００１３】
なお、特開平１１−２２５２６３号公報に記載されるデータ通信装置では、画像の解像度を間引いて送信することはできるが、縦横比の歪みを補正することはできない。
【００１４】
そこで本発明は、宛先機器毎に縦横比の歪みの無い適切な解像度で画情報を送信することができるデータ通信装置を提供することを目的としている。
【００１５】
【課題を解決するための手段】
本発明は、上記課題を解決するために、原稿画像を読み取る読取手段と、前記読取手段で読み取った画像の解像度を縦横別々の比率で変換する解像度変換処理手段と、前記解像度変処理手段で変換した画情報を、コンピュータネットワーク網を介して電子メールにより送信するメール通信手段と、前記画情報を送信する宛先機器の種類を指定する宛先機器指定手段とを備えたデータ通信装置において、前記解像度変換処理手段は、前記メール通信手段により画情報を送信する場合に、前記宛先機器指定手段によって指定された宛先機器の種類によって送信画像の解像度を変えることを特徴としている。
【００１６】
その場合、電子メールで画情報を送信する場合には宛先機器の種類を指定し、この指定によって送信する原稿画像の解像度を変えて宛先機器の種類毎に該当する解像度の送信画像を送信することができるので、宛先機器毎に縦横比の歪みの無い適切な解像度で送信することができる。
【００１７】
また、本発明は、上記課題を解決するために、原稿画像を読み取る読取手段と、前記読取手段で読み取った画像の解像度を縦横別々の比率で変換する解像度変換処理手段と、前記解像度変処理手段で変換した画情報を、コンピュータネットワーク網を介して電子メールにより送信するメール通信手段と、前記画情報を送信する宛先機器の種類を指定する宛先機器指定手段とを備えたデータ通信装置において、前記解像度変換処理手段は、前記メール通信手段により画情報を複数の宛先に送信する場合に、前記宛先機器指定手段によって指定された宛先機器の種類によって解像度を変えて送信画像を作成し、前記メール通信手段は、宛先機器の種類毎に該当する解像度の送信画像を送信することを特徴としている。
【００１８】
その場合、電子メールタイプで送信する場合には複数の宛先機器の種類を指定し、この指定によって送信する原稿画像の解像度を変えて、複数の宛先機器の種類毎に該当する解像度の送信画像を送信するようにしているので、複数の宛先機器毎に縦横比の歪みの無い適切な解像度で送信することができる。これに加えて、複数の宛先機器の画情報を送信する場合でも、送信前に解像度の指定をまとめて行うことができるため、送信作業を簡単に行うことができる。
【００１９】
また、本発明は、上記課題を解決するために、前記宛先機器指定手段は、宛先機器が扱う解像度が、少なくともｄｐｍ系の機器かｄｐｉ系の機器であるか否かを指定し、前記読取手段は、自己の解像度がｄｐｍ系かｄｐｉ系の何れか一方から構成される場合に、前記宛先機器指定手段によって読取手段の自己の解像度と異なる他方の解像度の宛先機器を指定したときに、前記解像度変換処理手段は、前記読取手段が読み取った解像度の画像に近い他方の解像度に変換することを特徴としている。
【００２０】
その場合、宛先機器が扱う解像度がファクシミリで使用するｄｐｍ系の機器かｄｐｉ系の機器であるかを指定し、読取手段によって読み取った一方の解像度か、または、読取手段の自己の解像度ではない他方の解像度で画情報を送信することができるので、宛先機器によって送信したい画像を適切な解像度で送信することができる。
【００２１】
【発明の実施の形態】
以下、本発明の実施形態を図面に基づいて説明する。
図１、２は本発明に係るデータ通信装置の一実施形態を示す図であり、本実施形態では、データ通信装置としてファクシミリ装置を例にしている。なお、データ通信装置としては、読取機能を有するパーソナルコンピュータ、読取機器と組合されたパーソナルコンピュータ、または、複合機等であっても良い。
【００２２】
まず、構成を説明する。図１において、ファクシミリ装置２０は、システム制御部１と、システムメモリ２と、パラメータメモリ３と、画像メモリ４と、スキャナ５と、２値化画像処理部６と、解像度変換処理部７と、プロッタ８と、ファクシミリ通信制御部９と、ネットワーク通信制御部１０と、符号化復号化部１１と、操作表示部１２とから構成されており、この装置各部１〜１２は内部バス１８を介して接続され、装置各部１〜１２の各要素間でのデータのやり取りは主としてこの内部バス１８を介して行われる。
【００２３】
システム制御部１は装置各部２〜１２を統括して制御処理を実行するようになっており、システムメモリ２はシステム制御部１が実行する制御処理プログラムを格納するとともに、そのプログラムを実行するときに必要な各種データ等を記憶し、また、システム制御部１のワークエリアを構成している。
【００２４】
パラメータメモリ３はこのファクシミリ装置２０に固有な各種情報を記憶するようになっており、スキャナ（読取手段）５は原稿画像を光学的に読み取った画情報を多値の電気信号（画信号）に変換して出力するようになっている。
【００２５】
画像メモリ４は画情報の符号化圧縮時や復号化伸長時に使用するとともに符号化圧縮された状態の画情報を多数記憶するようになっており、２値化画像処理部６はスキャナ５からの画信号を補正等の処理をした後に白黒２値の画信号に変換して出力するようになっている。
【００２６】
解像度変換処理部（解像度変換処理手段）は２値化画像処理部６で得られた所定の解像度の画像データに対して間引き処理や補間処理で縦横別々の変倍率（比率）で解像度を変換した画像データを作成するようになっている。
【００２７】
プロッタ８は所定のサイズ・解像度で画像を記録出力するようになっており、符号化復号化部１１は画信号を符号化圧縮するとともに、符号化圧縮されている画情報を元の画信号に復号化伸長するようになっている。
【００２８】
なお、符号化復号化部１１における符号化復号化方式としては、例えば、白黒用のＭＨ（Ｍｏｄｉｆｉｅｄ　Ｈｕｆｆｍａｎ）、ＭＲ（Ｍｏｄｉｆｉｅｄ　Ｒｅａｄ）、ＭＭＲ（Ｍｏｄｉｆｉｅｄ　Ｍｏｄｉｆｉｅｄ　　Ｒｅａｄ）、ＪＢＩＧ（Ｊｏｉｎｔ　Ｂｉｌｅｖｅｌ　Ｉｍａｇｅ　ｅｘｐｅｒｔｓ　Ｇｒｏｕｐ）、カラー用のＪＰＥＧ（Ｊｏｉｎｔ　Ｐｈｏｔｏｇｒａｐｈｉｃ　Ｅｘｐｅｒｔｓ　Ｇｒｏｕｐ）、ＪＢＩＧ、ＭＲＣ（Ｍｉｘｅｄ　Ｒａｓｔｅｒ　Ｃｏｎｔｅｎｔ）等がある。
【００２９】
操作表示部１２はファクシミリ装置２０を操作するための各種の操作キーや各種表示器を配列されたものから構成されており、この操作表示部１４は、画情報を電子メールで送信する場合に宛先機器を指定する任意の操作キーからなる宛先機器指定手段１４を有し、この宛先機器指定手段１４で指定された宛先機器毎に送信する画像の解像度が設定されるようになっている。
【００３０】
本実施形態では、解像度変換処理部７は、電子メール型通信制御部１３により画情報を送信する場合に宛先機器指定手段１４によって指定された宛先機器の種類によって送信画像の解像度を変えるようになっている。
【００３１】
ファクシミリ通信制御部９は電話回線網１６を介して相手先のファクシミリ通信機器との間で所定のファクシミリ伝送手順に従うやり取りを実行することにより画情報を送受信するようになっている。
【００３２】
ネットワーク通信制御部１０はコンピュータネットワーク網１７を介して相手機との間で所定の手順に従うやり取りを実行することにより種々のデータを送受信するようになっており、このネットワーク通信制御部１０は、原稿画像から読み取った画情報を電子メールのファイルとして添付して指定されたアドレスに送信する電子メール型通信制御部（メール通信手段）１３を備えている。
【００３３】
次に、画情報の送信方法を図２のフローチャートを用いて説明する。
【００３４】
まず、オペレータにより送信原稿がセットされ、電子メールタイプで送信することが操作表示部１２から指示されると（ステップＳ１）、その操作表示部１２の宛先機器指定手段１４から選択入力される宛先機器がファクシミリ通信機器等のｄｐｍ系の機器か、コンピュータ機器等スクウェアのｄｐｉ系の機器かを指定する（ステップＳ２）。
【００３５】
ステップＳ２で宛先機器にｄｐｍ系機器があるものと判断した場合には、８×３．８５ｄｐｍ、８×７．７ｄｐｍ等のｄｐｍ系の送信画像を作成する（ステップＳ７）。また、ステップＳ２で宛先機器にｄｐｍ系機器がないものと判断した場合には、宛先機器にｄｐｍ系機器以外のみ、すなわち、宛先機器にｄｐｉ系機器があるものと判断して２００×１００ｄｐｉや２００×２００ｄｐｉ等のｄｐｉ系の送信画像を作成する（ステップＳ８）。
【００３６】
ここで、スキャナ５がｄｐｍ系で、宛先機器がｄｐｍ系である場合には、スキャナ５で読み取った解像度（一方の解像度）で送信画像を作成する。また、スキャナ５がｄｐｍ系で、宛先機器がｄｐｉ系の機器である場合には、解像度変換処理部７が作動し、スキャナ５が原稿画像を読み取った解像度に近い所定のｄｐｉ系の解像度（他方の解像度）に変換する。
【００３７】
また、ステップＳ３で宛先機器がｄｐｍ系機器とｄｐｍ系機器を備える場合には、ｄｐｍ系とｄｐｍ系の２種類の送信画像を作成する（ステップＳ４）。
【００３８】
そして、宛先機器に応じた解像度で送信画像が画成された場合に、宛先機器毎に指定宛先に該当する解像度の送信画像を電子メール型通信制御部１３を使用してコンピュータネットワーク網１７を介して送信し（ステップＳ５）、この電子メールの送信完了を確認して（ステップＳ６）、原稿画像を送信する通信処理を終了する。
【００３９】
このように本実施形態においては、電子メール型通信制御部１３により画情報を送信する場合に、宛先機器指定手段１４によって指定された宛先機器の種類によって送信画像の解像度を変える解像度変換処理部７を設けたため、宛先機器毎に縦横比の歪みの無い適切な解像度で送信することができる。
【００４０】
また、本実施形態では、宛先機器が扱う解像度が、ｄｐｍ系の機器かｄｐｉ系の機器であるか否かを指定し、スキャナ５の自己の解像度がｄｐｍ系かｄｐｉ系の何れか一方から構成される場合に、宛先機器指定手段１４によってスキャナ５の自己の解像度と異なる他方の解像度の宛先機器を指定したときに、解像度変換処理手段７は、スキャナ５が読み取った解像度の画像に近い他方の解像度に変換するようにしているので、宛先機器によって送信したい画像を適切な解像度で送信することができる。
【００４１】
また、本実施形態では、ステップＳ２、Ｓ３において、画情報を複数の宛先に送信する指定を行う場合に、宛先機器指定手段１４によって指定された宛先機器の種類によって解像度を変えて送信画像を作成し、電子メール型通信制御部１３によって宛先機器の種類毎に該当する解像度の送信画像を送信することができるため、複数の宛先機器毎に縦横比の歪みの無い適切な解像度で送信することができることに加えて、複数の宛先機器の画情報を送信する場合でも、送信前に解像度の指定をまとめて行うことができるため、送信作業を簡単に行うことができる。
【００４２】
【発明の効果】
本発明によれば、電子メールで画情報を送信する場合には宛先機器の種類を指定し、この指定によって送信する原稿画像の解像度を変えて宛先機器の種類毎に該当する解像度の送信画像を送信することができるので、宛先機器毎に縦横比の歪みの無い適切な解像度で送信することができる。
【００４３】
また、本発明によれば、電子メールタイプで送信する場合には複数の宛先機器の種類を指定し、この指定によって送信する原稿画像の解像度を変えて、複数の宛先機器の種類毎に該当する解像度の送信画像を送信するようにしているので、複数の宛先機器毎に縦横比の歪みの無い適切な解像度で送信することができる。これに加えて、複数の宛先機器の画情報を送信する場合でも、送信前に解像度の指定をまとめて行うことができるため、送信作業を簡単に行うことができる。
【００４４】
また、本発明によれば、宛先機器が扱う解像度がファクシミリで使用するｄｐｍ系の機器かｄｐｉ系の機器であるかを指定し、読取手段によって読み取った一方の解像度か、または、読取手段の自己の解像度ではない他方の解像度で画情報を送信することができるので、宛先機器によって送信したい画像を適切な解像度で送信することができる。
【図面の簡単な説明】
【図１】本発明に係るデータ通信装置の一例であるファクシミリ装置の一実施形態を示す図であり、その概略全体構成を示すブロック図である。
【図２】一実施形態の動作を説明するフローチャートである。
【符号の説明】
５　　スキャナ（読取手段）
７　　解像度変換処理部（解像度変換処理手段）
１３　　電子メール型通信制御部（メール通信手段）
１４　　宛先機器指定手段（宛先機器指定手段）
【図１】
2004040609.tif 000003
【図２】
2004040609.tif 000004